【手続補正書】
【提出日】平成26年10月2日(2014.10.2)
【手続補正１】
【補正対象書類名】特許請求の範囲
【補正対象項目名】請求項１
【補正方法】変更
【補正の内容】
【請求項１】
回路基板と、
前記回路基板に配置され、押圧操作に応動する可動部が前記回路基板から所定の高さを有する状態で外部に露出するプッシュスイッチと、
前記回路基板上の、前記プッシュスイッチが配置された位置の近傍に形成されたタッチ検出電極と、
前記プッシュスイッチと前記タッチ検出電極とが接続される操作検出回路と、
前記回路基板に対して、間に前記プッシュスイッチが介在するように対向配置されており、前記押圧操作によって前記プッシュスイッチの可動部を押圧するように偏倚可能な操作部材と、
を備え、
前記操作検出回路は、前記回路基板の前記プッシュスイッチが配置された位置の近傍に形成された前記タッチ検出電極によって前記操作部材へのタッチ操作を検出するとともに、前記プッシュスイッチによって前記操作部材への押圧操作を検出するようにした
ことを特徴とする操作スイッチ装置。
【手続補正２】
【補正対象書類名】明細書
【補正対象項目名】００１７
【補正方法】変更
【補正の内容】
【００１７】
すなわち、この発明による操作スイッチ装置は、
回路基板と、
前記回路基板に配置され、押圧操作に応動する可動部が前記回路基板から所定の高さを有する状態で外部に露出するプッシュスイッチと、
前記回路基板上の、前記プッシュスイッチが配置された位置の近傍に形成されたタッチ検出電極と、
前記プッシュスイッチと前記タッチ検出電極とが接続される操作検出回路と、
前記回路基板に対して、間に前記プッシュスイッチが介在するように対向配置されており、前記押圧操作によって前記プッシュスイッチの可動部を押圧するように偏倚可能な操作部材と、
を備え、
前記操作検出回路は、前記回路基板の前記プッシュスイッチが配置された位置の近傍に形成された前記タッチ検出電極によって前記操作部材へのタッチ操作を検出するとともに、前記プッシュスイッチによって前記操作部材への押圧操作を検出するようにした
ことを特徴とする。
【手続補正３】
【補正対象書類名】明細書
【補正対象項目名】００１８
【補正方法】変更
【補正の内容】
【００１８】
上記の構成のこの発明による操作スイッチ装置においては、電子部品としてのプッシュスイッチが、回路基板上に配置されている。そして、タッチ検出電極が、同じプリント配線基板で、プッシュスイッチの配置位置の周部に形成されている。
【手続補正４】
【補正対象書類名】明細書
【補正対象項目名】００２６
【補正方法】変更
【補正の内容】
【００２６】
タブレット装置１の上ケース１ａの入力領域２に対応する位置には、電子ペンによる入力操作を検出するためのセンサ部２Ｓが設けられている。この実施形態では、このセンサ部２Ｓは、電磁誘導方式のセンサ部の構成とされている。電磁誘導式のセンサ構成は、例えば特許文献（特開２００９−３７９６号公報）などに記載されているので、その詳細な説明は、省略するが、センサ部２Ｓは、例えばＸ軸方向ループコイル群とＹ軸方向ループコイル群が形成されているセンサ基板（図示は省略）を備え、電子ペンにより指示された（Ｘ、Ｙ）座標位置に対応する出力信号を送出する。入力領域２は、センサ基板を覆う保護シートが外部に露呈するように配設されている。
【手続補正５】
【補正対象書類名】明細書
【補正対象項目名】００３３
【補正方法】変更
【補正の内容】
【００３３】
なお、タッチ検出電極６Ｒは、回路基板４上において、タッチ検出電極６Ｄと、タッチ検出電極６Ｅとの間の領域に形成されている。このタッチ検出電極６Ｒは、円形の操作領域３Ｒに対応する円形形状とされ、操作領域３Ｒよりも僅かに大きいものとされている。
【手続補正６】
【補正対象書類名】明細書
【補正対象項目名】００３８
【補正方法】変更
【補正の内容】
【００３８】
以上のようにして、回路基板４の面４ａにおいては、プッシュスイッチ５Ａ〜５Ｈ及び５Ｒの配置位置の周部に、タッチ検出電極６Ａ〜６Ｈ及び６Ｒが形成されている。この場合、プッシュスイッチ５Ａ〜５Ｈ及び５Ｒの配置位置は、タッチ検出電極６Ａ〜６Ｈ及び６Ｒの中央部であるので、タッチ検出電極６Ａ〜６Ｈ及び６Ｒは、プッシュスイッチ５Ａ〜５Ｈ及び５Ｒの中心を通る直線を対称軸とした線対称の形状とされている。
【手続補正７】
【補正対象書類名】明細書
【補正対象項目名】００５７
【補正方法】変更
【補正の内容】
【００５７】
プッシュスイッチ５Ａは、図３に示すように、外部に露出して、押圧に応動する可動部５１Ａを備える。プッシュスイッチ５Ａは、この可動部５１Ａが押圧に応じて応動すると、スイッチ状態を切り替える。このプッシュスイッチ５Ａは、その可動部５１Ａが操作領域３Ａに対向して外部に露出する状態で、前述したように、回路基板４の面４ａ上に形成された矩形のタッチ検出電極６Ａの中央部の領域６１Ａにおいて半田付けされて取り付けられている。
【手続補正８】
【補正対象書類名】明細書
【補正対象項目名】００６１
【補正方法】変更
【補正の内容】
【００６１】
なお、操作領域３Ｄと操作領域３Ｅとの間の領域は広いので、操作領域３Ｒの環状リブ３１１Ｒとは別個に、図２（Ａ），（Ｂ）に示すように、環状リブ３１１Ｒと同じ高さｈ１のリブ３１２Ｒ１及び３１２Ｒ２が形成されている。
【手続補正９】
【補正対象書類名】明細書
【補正対象項目名】００６６
【補正方法】変更
【補正の内容】
【００６６】
図４（Ａ）に示すように、使用者の指１０が操作領域３Ｂの保護シート部材３２の表面にタッチした状態のときには、プッシュスイッチ５Ｂの可動部５１Ｂは押下されてはいない状態となる。しかし、このときに、タッチ検出電極６Ｂが接続されている、図５に示すタッチ検出回路７において、指１０が操作領域３Ｂにタッチしたことが検出される。図４（Ａ）では、プッシュスイッチ５Ｂの金属フレーム５２Ｂがアース端子５３Ｂを通じてタッチ検出電極６Ｂに接続されているので、その金属フレーム５２Ｂの部分も、指１０のタッチを検出するための電極の一部として機能する。したがって、指１０で、操作領域３Ｂをタッチすると、そのタッチを感度良く、検出することができる。
【手続補正１０】
【補正対象書類名】明細書
【補正対象項目名】００６７
【補正方法】変更
【補正の内容】
【００６７】
この図４（Ａ）の状態から図４（Ｂ）に示すように、使用者が操作領域３Ｂを指１０で押圧すると、誘電性弾性体としての誘電体ゴムからなる保護シート部材３２および誘電体部材３２１Ｂが、図示のように撓んで、プッシュスイッチ５Ｂの可動部５１Ｂを押下する。すると、プッシュスイッチ５Ｂ内においては、図４（Ｂ）において模式的に例示したように、可動部５１Ｂによってスイッチを構成する一方のドーム状の電極５４Ｂが下方に撓んで、スイッチの他方の電極５５Ｂに接続する状態になる。そして、この状態から、指１０による押圧を除去すると、スイッチの一方のドーム状の電極５４Ｂが元に復帰して、他方の電極５５Ｂとの接続を解除する。
【手続補正１１】
【補正対象書類名】明細書
【補正対象項目名】００７８
【補正方法】変更
【補正の内容】
【００７８】
出力信号生成回路９は、操作領域３Ａ〜３Ｈ及び３Ｒのうちの、指がタッチされた操作領域を示す情報と、押下操作されたプッシュスイッチの情報とを、出力する。この出力信号生成回路９の出力情報は、このタブレット装置１が接続される、例えばパソコンに供給される。
【手続補正１２】
【補正対象書類名】明細書
【補正対象項目名】００８７
【補正方法】変更
【補正の内容】
【００８７】
また、上述の実施形態では、プッシュスイッチ５Ａ〜５Ｈ，５Ｒにおいて外部に露出している金属フレーム５２Ａ〜５２Ｈ，５２Ｒを、タッチ検出電極６Ａ〜６Ｈ，６Ｒに電気的に接続するようにしたので、当該金属フレーム５２Ａ〜５２Ｈ，５２Ｒも、タッチ検出電極６Ａ〜６Ｈ，６Ｒの一部として機能する。このため、使用者が、操作領域のうち、タッチ検出電極６Ａ〜６Ｈ，６Ｒの導体パターンが存在していないプッシュスイッチ５Ａ〜５Ｈ，５Ｒに対応する中央の領域をタッチしたときにも、その指のタッチを感度良く検出することができる。
【手続補正１３】
【補正対象書類名】明細書
【補正対象項目名】０１０４
【補正方法】変更
【補正の内容】
【０１０４】
また、プッシュスイッチの周部に設けるタッチ検出電極は、１個の導体パターンではなく、互いに電気的に接続した複数個の導体パターンで形成してもよい。例えば図１０（Ｂ）に示すように、プッシュスイッチ５６の両側に分割された２個の導体パターン６４Ａ，６４Ｂを、例えばスルーホール６４Ｃで接続して、タッチ検出電極６４を構成するようにしても良い。この例では、タッチ検出電極６４Ａ、６４Ｂは、図１０（Ｂ）に示すように、プッシュスイッチの配置中心点５６Ｃを含む一点鎖線を対称軸とする線対称で、且つ、配置中心点５６Ｃを対称中心点とする点対称の電極形状を備えており、タッチ操作のための操作領域２３におけるセンサ感度の均質化を確保している。なお、スルーホール６４Ｃの代わりに、回路基板４の面４ａ上に、分割された２個の導体パターン６４Ａ，６４Ｂを接続する導電パターンを形成するようにしても勿論良い。
【手続補正１４】
【補正対象書類名】図面
【補正対象項目名】図５
【補正方法】変更
【補正の内容】
【図５】
2013134635.tif 000001
【手続補正１５】
【補正対象書類名】図面
【補正対象項目名】図１０
【補正方法】変更
【補正の内容】
【図１０】
2013134635.tif 000002